(57)【特許請求の範囲】
【請求項１】
複数の搬送ローラーによって用紙を搬送する搬送手段と、
用紙上に形成された画像の色を読み取る測色計と、
用紙搬送経路において、前記測色計の読取部と、当該読取部の上流に位置する当該読取部に最も近い搬送ローラーである上流ローラーと、の間に設けられ、用紙面に付着した異物を除去する異物除去部材と、
を備える画像読取装置であって、
前記上流ローラーは、一又は複数のローラーから構成され、
前記異物除去部材は、用紙搬送方向と直交し、かつ、用紙面と平行な方向において、前記上流ローラーの最も外側の両端部と、前記読取部の両端部のそれぞれ近い方同士を直線で結んだ範囲に亘って設けられており、前記上流ローラーの最も外側の両端部間の幅と前記読取部の幅の間の長さの幅を有する画像読取装置。
【請求項２】
前記読取部の幅は、前記上流ローラーの最も外側の両端部間の幅よりも短い請求項１に記載の画像読取装置。
【請求項３】
前記読取部に対向する位置に設けられたバッキング部材を備え、
前記異物除去部材の用紙との接触面は、前記上流ローラーのニップ部と、前記バッキング部材の前記読取部に対向する対向面と、を結んだ直線よりも、前記バッキング部材側にある請求項１又は２に記載の画像読取装置。
【請求項４】
前記測色計を使用しないモードでは、前記異物除去部材を用紙搬送領域外へ退避させる退避手段を備える請求項１から３のいずれか一項に記載の画像読取装置。
【請求項５】
前記異物除去部材を支持する支持部を備え、
前記異物除去部材は、前記支持部に対して着脱可能に設けられている請求項１から４のいずれか一項に記載の画像読取装置。
【請求項６】
前記異物除去部材は、用紙面に関して前記測色計と同じ側に設けられている請求項１から５のいずれか一項に記載の画像読取装置。
【請求項７】
用紙上に画像を形成する画像形成装置と、
請求項１から６のいずれか一項に記載の画像読取装置と、
を備える画像形成システムであって、
前記測色計は、前記画像形成装置により用紙上に形成された画像の色を読み取る画像形成システム。
【請求項８】
前記画像形成装置は、用紙搬送経路から分岐し、用紙の両面に画像を形成する際に、用紙の表裏を反転させ、画像形成前の位置に用紙を再度供給するための反転搬送経路を有し、
前記測色計は、用紙搬送経路上の前記反転搬送経路への分岐点よりも下流側に設けられている請求項７に記載の画像形成システム。
【発明の詳細な説明】
【技術分野】
【０００１】
本発明は、画像読取装置及び画像形成システムに関する。
【背景技術】
【０００２】
従来、複写機やプリンター等の画像形成装置では、画像の色、位置、倍率等を調整するために、用紙上に形成された画像をスキャナーで読み取り、読み取った結果を画像処理条件や画像形成条件にフィードバックしている。
このスキャナーで読み取る色情報を正しい色情報（絶対的な値）に補正するために、高精度で色情報を読み取り可能な測色計を用いてスキャナーの校正を行っている。具体的には、校正用チャートに含まれる複数のカラーパッチについて、スキャナーで読み取った色情報と測色計で読み取った色情報を比較し、スキャナーで読み取った色情報が測色計で読み取った色情報となるように補正する。この測色計を用いた校正により、スキャナーで読み取った色情報を正確な値として画像形成装置にフィードバックすることができる。
【０００３】
測色計では、読み取られる領域は限られた範囲であり、かつ、読み取りに所定の時間を要する。そのため、常に測色計で画像を読み取ろうとすると、コストも時間もかかってしまう。
一方、スキャナーは、安価であって広範囲を読み取り対象とすることができ、測色計に比べて速いスピードで画像を読み取ることができる。
したがって、測色計を用いてスキャナーの校正を行っておき、画像を出力する際は、スキャナーで画像を読み取ることで、高い生産性を維持しつつ、画像の自動補正が可能となる。
【０００４】
このような測色計を備える画像読取装置において、測色計の読取部に紙粉、ごみ等が付着すると測色値が不正確となる。
測色計は、用紙との距離を一定に保つ必要があるため、精度良く取り付けられていることが求められる。測色計が取り外し可能となっていると、ユーザーによる着脱で取り付け位置精度の悪化が懸念されるため、測色計は、容易に着脱することができないようになっている。そのため、ユーザーは、測色計を取り外して読取部を清掃することはできない。
したがって、極力測色計で読み取る直前に、用紙面に付着した紙粉等を除去する必要がある。
【０００５】
画像読取装置において用紙面に付着した紙粉等を除去するものとして、例えば、画像読取部の上流のガイド板に、用紙によって運ばれたごみ、紙粉等を集積する凹みを設けた原稿読取装置（特許文献１参照）や、画像読取部の上流側近傍に、用紙に付着した紙粉等を除去するクリーニング部材を設けた原稿読取装置（特許文献２参照）が提案されている。
【先行技術文献】
【特許文献】
【０００６】
【特許文献１】特開２０００−２０９３９０号公報
【特許文献２】特開２００８−１３２６６号公報
【発明の概要】
【発明が解決しようとする課題】
【０００７】
ところで、通常、用紙は搬送ローラーによって搬送され、紙粉は主に搬送ローラーと用紙との接触により発生する。紙粉は搬送ローラーのニップ部の下流側に拡散していくため、用紙搬送方向と直交し、かつ、用紙面と平行な方向において、異物除去部材を測色計の読取部の幅で設けただけでは、拡散した紙粉を全て除去することは困難であった。
一方、用紙搬送方向と直交し、かつ、用紙面と平行な方向において、異物除去部材を用紙幅いっぱいに亘って設けてしまうと、無駄な部分が多くなる。
そのため、異物除去部材を最適なサイズにすることが求められていた。
【０００８】
本発明は、上記の従来技術における問題に鑑みてなされたものであって、測色計の読み取りに影響する範囲の異物を効率良く確実に除去することを課題とする。
【課題を解決するための手段】
【０００９】
上記課題を解決するために、請求項１に記載の発明は、複数の搬送ローラーによって用紙を搬送する搬送手段と、用紙上に形成された画像の色を読み取る測色計と、用紙搬送経路において、前記測色計の読取部と、当該読取部の上流に位置する当該読取部に最も近い搬送ローラーである上流ローラーと、の間に設けられ、用紙面に付着した異物を除去する異物除去部材と、を備える画像読取装置であって、前記上流ローラーは、一又は複数のローラーから構成され、前記異物除去部材は、用紙搬送方向と直交し、かつ、用紙面と平行な方向において、前記上流ローラーの最も外側の両端部と、前記読取部の両端部のそれぞれ近い方同士を直線で結んだ範囲に亘って設けられており、前記上流ローラーの最も外側の両端部間の幅と前記読取部の幅の間の長さの幅を有する。
請求項２に記載の発明は、請求項１に記載の画像読取装置において、前記読取部の幅は、前記上流ローラーの最も外側の両端部間の幅よりも短い。
【００１０】
請求項３に記載の発明は、請求項１又は２に記載の画像読取装置において、前記読取部に対向する位置に設けられたバッキング部材を備え、前記異物除去部材の用紙との接触面は、前記上流ローラーのニップ部と、前記バッキング部材の前記読取部に対向する対向面と、を結んだ直線よりも、前記バッキング部材側にある。
【００１１】
請求項４に記載の発明は、請求項１から３のいずれか一項に記載の画像読取装置において、前記測色計を使用しないモードでは、前記異物除去部材を用紙搬送領域外へ退避させる退避手段を備える。
【００１２】
請求項５に記載の発明は、請求項１から４のいずれか一項に記載の画像読取装置において、前記異物除去部材を支持する支持部を備え、前記異物除去部材は、前記支持部に対して着脱可能に設けられている。
請求項６に記載の発明は、請求項１から５のいずれか一項に記載の画像読取装置において、前記異物除去部材は、用紙面に関して前記測色計と同じ側に設けられている。
【００１３】
請求項７に記載の発明は、用紙上に画像を形成する画像形成装置と、請求項１から６のいずれか一項に記載の画像読取装置と、を備える画像形成システムであって、前記測色計は、前記画像形成装置により用紙上に形成された画像の色を読み取る。
請求項８に記載の発明は、請求項７に記載の画像形成システムにおいて、前記画像形成装置は、用紙搬送経路から分岐し、用紙の両面に画像を形成する際に、用紙の表裏を反転させ、画像形成前の位置に用紙を再度供給するための反転搬送経路を有し、前記測色計は、用紙搬送経路上の前記反転搬送経路への分岐点よりも下流側に設けられている。
【発明の効果】
【００１４】
本発明によれば、測色計の読み取りに影響する範囲の異物を効率良く確実に除去することができる。
【図面の簡単な説明】
【００１５】
【図１】画像形成システムの概略構成図である。
【図２】画像形成システムの機能的構成を示すブロック図である。
【図３】測色計、異物除去ブラシ及び上流ローラーの配置を示す上面図である。
【図４】図１のＡに対応する部分の拡大模式図である。
【図５】（ａ）は、校正モード時の異物除去ブラシの位置を示す図である。（ｂ）は、通常モード時の異物除去ブラシの位置を示す図である。
【図６】移動部の具体的な構成を示す図である。
【図７】異物除去ブラシの取り付け例を示す図である。
【発明を実施するための形態】
【００１６】
以下、図面を参照して、本発明に係る画像読取装置の実施の形態について説明する。なお、本発明は、図示例に限定されるものではない。
【００１７】
図１に、画像形成システム１００の概略構成を示す。
図１に示すように、画像形成システム１００は、画像形成装置１０と、画像読取装置２０と、を備える。画像形成装置１０により画像が形成された用紙は、そのまま画像読取装置２０に搬入される。画像形成装置１０と画像読取装置２０は、相互にデータ通信可能に接続されている。
【００１８】
画像形成装置１０は、操作部１１、表示部１２、画像読取部１３、画像形成部１４、給紙トレイＴ１，Ｔ２等を備える。
【００１９】
操作部１１は、表示部１２の表示画面上を覆うように形成されたタッチパネルや、数字ボタン、スタートボタン等の各種操作ボタンを備え、ユーザーの操作に基づく操作信号を制御部１５（図２参照）に出力する。
【００２０】
表示部１２は、ＬＣＤ（Liquid Crystal Display）により構成され、制御部１５から入力される表示信号の指示に従って各種画面を表示する。
【００２１】
画像読取部１３は、ＡＤＦ（自動原稿給紙装置）、スキャナー等を備え、原稿の画像を読み取って得られた画像データを制御部１５に出力する。
【００２２】
画像形成部１４は、画像読取部１３により読み取られた画像データ、又は、外部装置から受信した画像データに基づいて、用紙に対して画像形成を行う。
画像形成部１４は、イエロー（Ｙ）、マゼンタ（Ｍ）、シアン（Ｃ）、ブラック（Ｋ）の各色に対応する感光体ドラム１４１Ｙ，１４１Ｍ，１４１Ｃ，１４１Ｋ、中間転写ベルト１４２、二次転写ローラー１４３、定着部１４４、反転機構１４５等を備える。
【００２３】
感光体ドラム１４１Ｙは、一様に帯電された後、イエロー色の画像データに基づいてレーザービームにより走査露光され、静電潜像が形成される。そして、感光体ドラム１４１Ｙ上の静電潜像にイエロー色のトナーが付着され、現像が行われる。
感光体ドラム１４１Ｍ，１４１Ｃ，１４１Ｋについても、扱う色が異なることを除いて、感光体ドラム１４１Ｙと同様であるため、説明を省略する。
【００２４】
感光体ドラム１４１Ｙ，１４１Ｍ，１４１Ｃ，１４１Ｋ上に形成された各色のトナー像は、回転する中間転写ベルト１４２上に逐次転写される（一次転写）。すなわち、中間転写ベルト１４２上には、４色のトナー像が重ね合わされたカラートナー像が形成される。
中間転写ベルト１４２上のカラートナー像は、二次転写ローラー１４３により、給紙トレイＴ１，Ｔ２から供給される用紙上に一括して転写される（二次転写）。
【００２５】
定着部１４４は、カラートナー像が転写された用紙を加熱する加熱ローラー、当該用紙を加圧する加圧ローラーを備え、加熱・加圧によりカラートナー像を用紙に定着させる。
【００２６】
反転機構１４５は、用紙の両面に画像を形成する場合に、用紙の表裏を反転させ、用紙を再度二次転写位置に供給するための搬送経路である。
【００２７】
給紙トレイＴ１，Ｔ２には、予め定められた紙種やサイズの用紙が収納されている。給紙トレイＴ１，Ｔ２に収納された用紙は、１枚ずつ画像形成部１４に供給される。
【００２８】
画像読取装置２０は、第１スキャナー２１、第２スキャナー２２、測色計２３、異物除去ブラシ２４、バッキング部材３１、バッキング部材３２、バッキング部材３３、搬送ローラー４１〜４７、排紙トレイＴ１１等を備える。
【００２９】
第１スキャナー２１、第２スキャナー２２及び測色計２３は、用紙搬送経路において、画像形成装置１０の下流側に設けられており、画像形成後の用紙の画像形成面を、用紙が外部に排出される前に読み取り可能となっている。
【００３０】
第１スキャナー２１及び第２スキャナー２２は、用紙搬送方向と直交し、かつ、用紙面と平行な方向（用紙幅方向）にＣＣＤ（Charge Coupled Device）がライン状に配列されたラインセンサーによって構成されており、搬送される用紙上の画像を読み取り、得られた画像データを制御部２５（図２参照）に出力する。第１スキャナー２１及び第２スキャナー２２は、用紙全幅に亘って読み取り可能である。
第１スキャナー２１は、画像形成装置１０により用紙の両面に画像形成された用紙の先に形成された面の画像を読み取る。
第２スキャナー２２は、画像形成装置１０により用紙の片面に画像形成された用紙の画像形成面の画像、又は、画像形成装置１０により用紙の両面に画像形成された用紙の後から形成された面の画像を読み取る。
【００３１】
測色計２３は、用紙上に形成された画像に対し、波長毎に分光反射率を検出し、画像の色を測定する分光測色計である。測色計２３は、用紙搬送方向と直交し、かつ、用紙面と平行な方向（用紙幅方向）における一部の領域のみを読み取り可能である。
測色計２３は、搬送される用紙に対向する下面側に読取部２３１を有している。読取部２３１は、画像形成装置１０により用紙上に形成された画像（カラーパッチ）の色を読み取る。読取部２３１の直径は、約４ｍｍ程度である。
【００３２】
異物除去ブラシ２４は、用紙搬送経路において、測色計２３の読取部２３１と、読取部２３１の上流に位置する読取部２３１に最も近い搬送ローラー（以下、上流ローラーともいう。）４５と、の間に設けられ、用紙面に付着した紙粉、ごみ等の異物を除去する異物除去部材である。
【００３３】
バッキング部材３１は、用紙に形成された画像を第１スキャナー２１により読み取る際に、用紙の背景となる部材である。
バッキング部材３２は、用紙に形成された画像を第２スキャナー２２により読み取る際に、用紙の背景となる部材である。
バッキング部材３３は、測色計２３の読取部２３１に対向する位置に設けられており、用紙に形成された画像を測色計２３により読み取る際に、用紙の背景となる部材である。
【００３４】
搬送ローラー４１〜４７は、画像読取装置２０内の用紙を搬送する。
排紙トレイＴ１１には、画像読取装置２０を通過した用紙が排出される。
【００３５】
図２は、画像形成システム１００の機能的構成を示すブロック図である。
図２に示すように、画像形成装置１０は、操作部１１、表示部１２、画像読取部１３、画像形成部１４、制御部１５、通信部１６、搬送部１７、記憶部１８等を備える。なお、既に説明した機能部については、説明を省略する。
【００３６】
制御部１５は、ＣＰＵ（Central Processing Unit）、ＲＯＭ（Read Only Memory）、ＲＡＭ（Random Access Memory）等により構成される。ＣＰＵは、ＲＯＭに記憶されている各種処理プログラムを読み出してＲＡＭに展開し、展開されたプログラムに従って、画像形成装置１０の各部の動作を集中制御する。
【００３７】
通信部１６は、所定のケーブルによって接続された画像読取装置２０との間でデータの送受信を行う。また、通信部１６は、ＬＡＮ（Local Area Network）等の通信ネットワークに接続された外部装置との間でデータの送受信を行う。
搬送部１７は、用紙を搬送するための搬送ローラーを備え、画像形成装置１０内において用紙を搬送する。
記憶部１８は、ハードディスクやフラッシュメモリー等により構成され、各種データを記憶する。例えば、記憶部１８には、複数のカラーパッチを含む校正用チャートを生成するための画像データが記憶されている。
【００３８】
画像読取装置２０は、第１スキャナー２１、第２スキャナー２２、測色計２３、異物除去ブラシ２４、制御部２５、通信部２６、搬送部２７、記憶部２８、移動部２９等を備える。なお、既に説明した機能部については、説明を省略する。
【００３９】
制御部２５は、ＣＰＵ、ＲＯＭ、ＲＡＭ等により構成される。ＣＰＵは、ＲＯＭに記憶されている各種処理プログラムを読み出してＲＡＭに展開し、展開されたプログラムに従って、画像読取装置２０の各部の動作を集中制御する。
【００４０】
制御部２５は、第１スキャナー２１及び第２スキャナー２２の読取結果に基づいて、画像形成部１４の調整値を算出する。調整値には、画像形成装置１０において、画像の色、位置、倍率等を調整するためのパラメーターが含まれる。
【００４１】
制御部２５は、校正モードにおいて、複数のカラーパッチを含む校正用チャートに対する第１スキャナー２１及び第２スキャナー２２の色情報と、測色計２３の色情報と、に基づいて、第１スキャナー２１及び第２スキャナー２２の出力値を校正する。第２スキャナー２２は、測色計２３と同一面を読み取ることができるので、各カラーパッチに対する第２スキャナー２２の色情報が、測色計２３の色情報となるように、第２スキャナー２２の校正を行う。一方、第１スキャナー２１は、測色計２３と同一面（同じカラーパッチ）を読み取ることはできないので、第１スキャナー２１及び測色計２３で、画像形成部１４により同じ条件で形成された各カラーパッチを読み取り、第１スキャナー２１の色情報が、測色計２３の色情報となるように、第１スキャナー２１の校正を行う。
本実施の形態では、測色計２３は、校正モード時にのみ使用される。
【００４２】
通信部２６は、所定のケーブルによって接続された画像形成装置１０との間でデータの送受信を行う。具体的には、通信部２６は、第１スキャナー２１及び第２スキャナー２２の読取結果から算出された調整値を画像形成装置１０に送信する。
搬送部２７は、用紙を搬送するための搬送ローラー４１〜４７を備え、画像読取装置２０内において用紙を搬送する。
記憶部２８は、ハードディスクやフラッシュメモリー等により構成され、各種データを記憶する。
【００４３】
移動部２９は、測色計２３を使用しないモード（以下、通常モードという。）において、異物除去ブラシ２４を用紙搬送領域外へ退避させる。すなわち、移動部２９は、退避手段として機能する。移動部２９は、異物除去ブラシ２４を移動させ、異物除去ブラシ２４が用紙搬送領域に設置された状態と、異物除去ブラシ２４が用紙搬送領域外に退避された状態と、を切り替える。
【００４４】
図３は、図１のＡで示す部分の上面図であり、測色計２３、異物除去ブラシ２４及び上流ローラー４５の配置を示している。
上流ローラー４５は、用紙搬送方向と直交し、かつ、用紙面と平行な方向（用紙幅方向、ローラー軸方向）に分割されたローラー本体部４５１，４５２から構成されている。ローラー本体部４５１，４５２は、軸４５３により回転可能に支持されている。
【００４５】
異物除去ブラシ２４は、用紙搬送方向と直交し、かつ、用紙面と平行な方向（用紙幅方向）において、上流ローラー４５の最も外側の両端部（ローラー本体部４５１の端部４５４、ローラー本体部４５２の端部４５５）と、測色計２３の読取部２３１の両端部（端部２３２，２３３）のそれぞれ近い方同士を直線で結んだ範囲に亘って設けられている。
「上流ローラー４５の最も外側の両端部」とは、上流ローラー４５がローラー軸方向に分割された複数のローラーから構成されている場合には、最も外側のローラーの外側の端部（２箇所）をいい、上流ローラー４５が一つのローラーから構成されている場合には、このローラーの両端部をいう。
【００４６】
具体的には、ローラー本体部４５１の端部４５４と測色計２３の読取部２３１の端部２３２とを結んだ直線Ｌ１と、ローラー本体部４５２の端部４５５と測色計２３の読取部２３１の端部２３３とを結んだ直線Ｌ２と、に基づいて、用紙幅方向において、直線Ｌ１から直線Ｌ２に亘って異物除去ブラシ２４が設けられている。
【００４７】
ここで、測色計２３と用紙の距離、用紙とバッキング部材３３の距離が測色値に与える影響について説明する。
測色計２３で正確に用紙の色を測定するためには、測色計２３と用紙の距離を一定にし、また、用紙とバッキング部材３３を密着させる必要がある。例えば、測色計２３と用紙の距離が０．５ｍｍ変動すると、測色値において１．０程度の色差が生じる。
【００４８】
また、測色時には、測色計２３の照明光が用紙を透過し、バッキング部材３３からの反射光が再度用紙を透過して、測色計２３へと入射する。用紙背面とバッキング部材３３との距離により、用紙を透過した照明光の拡散が変動し、バッキング部材３３からの反射光や最終的な測色値が変動する。そのため、光の透過しやすい用紙は、用紙背面とバッキング部材３３とを密着させ、この影響を少なくする必要がある。
逆に、厚紙においては、透過光の量が少なくなるため、用紙背面とバッキング部材３３との距離による測色値への影響は小さくなる。
【００４９】
図４は、図１のＡに示す部分の拡大模式図である。
搬送ガイド５１，５２は、画像形成装置１０により画像が形成された用紙を測色計２３へと導くためのガイドである。用紙は、搬送ガイド５１と搬送ガイド５２の間を搬送される。なお、搬送ガイド５１，５２は、面状に繋がっている必要はなく、少なくとも、測色計２３の読取部２３１、バッキング部材３３、異物除去ブラシ２４、上流ローラー４５が存在する部分については、搬送ガイド５１，５２は存在しない。
【００５０】
異物除去ブラシ２４の用紙との接触面２４１（異物除去ブラシ２４のブラシ先端）は、上流ローラー４５のニップ部Ｎと、バッキング部材３３の読取部２３１に対向する対向面３３１と、を結んだ直線Ｌ３よりも、バッキング部材３３側にある。
【００５１】
このような構成とすることにより、異物除去ブラシ２４で、搬送中の用紙が下側（バッキング部材３３側）に押されるので、確実に用紙の表面を清掃することができるとともに、バッキング部材３３と用紙背面とを確実に接触させることができる。
また、用紙搬送経路において、異物除去ブラシ２４を測色計２３の直前に配置することで、清掃後の用紙と搬送ガイド５１，５２の擦れによる紙粉発生を防止することができる。
【００５２】
次に、図５（ａ）及び（ｂ）を参照して、異物除去ブラシ２４の退避について説明する。
図５（ａ）は、校正モード時の異物除去ブラシ２４の位置を示す図であり、図５（ｂ）は、通常モード時の異物除去ブラシ２４の位置を示す図である。
校正モード時には、異物除去ブラシ２４の接触面２４１が用紙搬送領域（搬送ガイド５１と搬送ガイド５２の間）にあるため、異物除去ブラシ２４は、用紙面に付着した異物を除去することができる。
一方、通常モード時には、異物除去ブラシ２４は、用紙搬送領域外へ退避されるため、異物除去ブラシ２４が搬送中の用紙に接触することはない。
【００５３】
なお、測色計２３には、測色計２３の読取部２３１を保護するためのシャッターが設けられており、異物除去ブラシ２４の退避時には、測色計２３の読取部２３１がシャッターによりカバーされる。
【００５４】
図６（ａ）及び（ｂ）に、移動部２９の具体的な構成を示す。
移動部２９は、レバー２９１、カム２９２、ばね２９３等を備える。
レバー２９１は、Ｌ字型の形状を有し、その一端に異物除去ブラシ２４が取り付けられ、他端はカム２９２と接触している。レバー２９１は、軸２９１Ａを中心に回転可能となっている。
カム２９２は、軸２９２Ａを中心に回転可能となっており、軸２９２Ａを中心とした回転により、軸２９２Ａとレバー２９１との距離が変更される。軸２９２Ａは、モーターにより回転する。
ばね２９３の一端はレバー２９１に接続され、他端は画像読取装置２０に固定されている。
【００５５】
校正モード時には、図６（ａ）に示すように、異物除去ブラシ２４の接触面２４１が用紙搬送領域（搬送ガイド５１と搬送ガイド５２の間）に位置するように、異物除去ブラシ２４が設置され、異物除去ブラシ２４により用紙上の異物が除去される。
【００５６】
通常モード時には、図６（ｂ）に示すように、カム２９２の回転により、レバー２９１が軸２９１Ａを中心に回転し、異物除去ブラシ２４が用紙搬送領域外へ退避される。
【００５７】
図７に、異物除去ブラシ２４の取り付け例を示す。
図７に示すように、異物除去ブラシ２４は、ホルダー６１に固定されている。ホルダー６１は、画像読取装置２０が備える支持部６２に対して、スナップフィット方式にて固定されている。異物除去ブラシ２４は、ホルダー６１ごと支持部６２に取り付けられ、また、ホルダー６１ごと支持部６２から取り外される。すなわち、異物除去ブラシ２４は、支持部６２に対して着脱可能に設けられている。
【００５８】
以上説明したように、本実施の形態によれば、異物除去ブラシ２４が、用紙搬送方向と直交し、かつ、用紙面と平行な方向において、上流ローラー４５の最も外側の両端部と、測色計２３の読取部２３１の両端部のそれぞれ近い方同士を直線Ｌ１，Ｌ２で結んだ範囲に亘って設けられているので、測色計２３の読み取りに影響する範囲の異物を効率良く確実に除去することができる。
【００５９】
また、一般に、紙粉は上流ローラー４５のニップ部の下流側に拡散していくため、測色計２３の読取部２３１の上流にニップ部が存在しない方が良い。具体的には、図３に示したように、ローラー軸方向（用紙搬送方向と直交し、かつ、用紙面と平行な方向）に分割されたローラー（分割ローラー）を用いることが望ましく、分割ローラーのローラー軸方向の位置は、測色計２３の読取部２３１がある用紙中央から離れた方が良い。
一方、ローラー軸方向において分割ローラーを用紙中央から離れた位置にすると、測色計２３の読取部２３１を通過する際の用紙の高さ変動（ばたつき）が大きくなるため、高さ変動に対しては、分割ローラーの位置が中央に近いほど良い。
【００６０】
本実施の形態では、校正モード時には、異物除去ブラシ２４により用紙がバッキング部材３３側に押されるので、分割ローラーの位置が中央付近になくても、用紙をバッキング部材３３に密着させることができる。また、異物除去ブラシ２４の接触面２４１が用紙に押し付けられるので、確実に用紙面の異物を除去することが可能となる。
【００６１】
また、測色計２３を使用しない通常モード時には、異物除去ブラシ２４を用紙搬送領域外へ退避させるので、必要な時にのみ異物除去を行い、異物除去ブラシ２４の耐久性を向上させることができる
【００６２】
また、測色計２３を使用するのは校正モード時のみで、通常モード時には異物の除去は不要であるため、通常モード時には、読取部２３１のシャッターを閉めておけば、紙粉等が読取部２３１へ付着することを防止することができる。
【００６３】
また、図７に示すように、異物除去ブラシ２４を支持部６２に対して着脱可能とすることで、異物除去ブラシ２４に付着した紙粉やごみ等を除去し、異物除去ブラシ２４を再利用することが可能となる。
また、異物除去ブラシ２４が摩耗した場合には、異物除去ブラシ２４を容易に交換することができる。
【００６４】
なお、上記実施の形態における記述は、本発明に係る画像読取装置の例であり、これに限定されるものではない。装置を構成する各部の細部構成及び細部動作に関しても本発明の趣旨を逸脱することのない範囲で適宜変更可能である。
【００６５】
例えば、異物除去ブラシ２４を画像読取装置２０に対して着脱可能に取り付ける方法は、上述した例に限定されない。例えば、画像読取装置２０が備える支持部に対して、異物除去ブラシ２４を両面テープで貼り付けることとしてもよい。
【００６６】
また、上記実施の形態では、上流ローラー４５が二つのローラー本体部４５１，４５２から構成されている場合について説明したが、上流ローラー４５は、三つ以上のローラーから構成されていてもよいし、一つのローラーから構成されていてもよい。
【００６７】
また、上記実施の形態では、異物除去部材として異物除去ブラシ２４を用いる場合について説明したが、用紙面に付着した異物を除去することができれば、異物除去部材の形状や素材は限定されない。例えば、異物除去部材がスポンジ状の弾性体によって構成されていてもよい。
【００６８】
また、上記実施の形態では、画像形成装置１０と画像読取装置２０とを別々の装置として説明したが、画像形成装置１０と画像読取装置２０とが一体の装置として構成されていてもよい。
【符号の説明】
【００６９】
１０  画像形成装置
２０  画像読取装置
２１  第１スキャナー
２２  第２スキャナー
２３  測色計
２４  異物除去ブラシ
２７  搬送部
２９  移動部
３３  バッキング部材
４５  上流ローラー
６２  支持部
１００  画像形成システム
２３１  読取部
２４１  接触面
４５１，４５２  ローラー本体部
Ｎ  ニップ部
【図１】
0006515564.tif 000002
【図２】
0006515564.tif 000003
【図３】
0006515564.tif 000004
【図４】
0006515564.tif 000005
【図５】
0006515564.tif 000006
【図６】
0006515564.tif 000007
【図７】
0006515564.tif 000008